(57)【要約】【課題】  開封状況を容易に確認することができる物品収納容器において、開封方法がわかりやすく、開封作業が容易であって、製作コストを縮減できる物品収納容器を提供する。【解決手段】  第一から第四側壁と、前記第一側壁から第四側壁のうち少なくともいずれかに連接された底壁と、前記第一側壁の上端側辺に連接された頂壁と、を有し、前記第一側壁から第四側壁の上端側辺によって隔成された容器開口部を前記頂壁によって閉塞する箱形の物品収納容器であって、前記第二側壁の上端側辺には、この上端側辺に沿ったスリットが形成され、前記頂壁の前記第二側壁と係合する側辺には、前記スリットから容器の内側に挿入されて係止可能な係止片が形成され、前記頂壁には、頂壁を複数に分断可能なミシン目が設けられ、前記ミシン目の端部は、前記頂壁の四側辺のうち少なくとも二側辺の近傍に配置されている。【選択図】  図１
2006290428.tif 000002
【特許請求の範囲】
【請求項１】
互いに対向して配置される略矩形の第一及び第二側壁と、前記第一側壁と第二側壁に連接され、互いに対向して配置される第三側壁と第四側壁と、前記第一側壁から第四側壁のうち少なくともいずれか一の側壁に連接された底壁と、前記第一側壁の上端側辺に連接され、第一側壁の上端側辺から第二側壁の上端側辺に向かって上下方向に旋回可能な頂壁と、を有し、前記第一側壁から第四側壁の上端側辺によって隔成された容器開口部を前記頂壁によって閉塞する箱形の物品収納容器であって、
前記第二側壁の上端側辺には、この上端側辺に沿ったスリットが形成されており、
前記頂壁の前記第二側壁と係合する側辺には、前記スリットから容器の内側に挿入されて係止可能な係止片が形成されており、
前記頂壁には、頂壁を複数に分断可能なミシン目が設けられており、
前記ミシン目の端部は、前記頂壁の四側辺のうち少なくとも二側辺の近傍に配置されていることを特徴とする物品収納容器。
【請求項２】
前記ミシン目の端部は、前記頂壁の四側辺のうち対向する二側辺の近傍に配置されていることを特徴とする請求項１に記載の物品収納容器。
【請求項３】
前記ミシン目の端部は、前記頂壁の四側辺のうち隣接する二側辺の近傍に配置されていることを特徴とする請求項１に記載の物品収納容器。
【請求項４】
前記頂壁は、前記ミシン目によって分断されることにより、係止部が形成され、容器本体と分離する分離部と、前記第一側壁に連通した連通部と、に分離可能であり、
前記分離部は、頂壁全体の略半分以上の面積を有することを特徴とする請求項１から請求項３のいずれかに記載の物品収納容器。
【請求項５】
前記ミシン目は、前記頂壁に連接する第一側壁、第三側壁及び第四側壁のうち少なくもいずれか一の側壁に連なって形成されていることを特徴とする請求項１から請求項４のいずれかに記載の物品収納容器。
【請求項６】
前記ミシン目の端部には、頂壁の側辺に向かって拡開した切り欠きが形成されていることを特徴とする請求項１から請求項５のいずれかに記載の物品収納容器。
【請求項７】
互いに対向して配置される略矩形の第一及び第二側壁と、前記第一側壁と第二側壁に連接され、互いに対向して配置される第三側壁と第四側壁と、前記第一から第四側壁のうち少なくともいずれか一の側壁に連接された底壁と、前記第一側壁の上端側辺に連接され、第一側壁の上端側辺から第二側壁の上端側辺に向かって上下方向に旋回可能な頂壁と、を有し、前記第一から第四側壁の上端側辺によって隔成された容器開口部を前記頂壁によって閉塞する箱形の物品収納容器であって、
前記第二側壁の上端側辺には、この上端側辺に沿ったスリットが形成されており、
前記頂壁の前記第二側壁と係合する側辺には、前記スリットから容器の内側に挿入されて係止可能な係止片が形成されており、
前記第一側壁から第四側壁のうち少なくともうちいずれかの側壁には、側壁を複数に分断可能なミシン目が設けられており、
前記ミシン目の端部は、連接する側壁との間に配置されていることを特徴とする物品収納容器。
【請求項８】
前記ミシン目は、隣接する二の側壁に連なって形成されていることを特徴とする請求項７に記載の物品収納容器。
【発明の詳細な説明】
【技術分野】
【０００１】
本発明は、化粧品、雑貨等を収納する物品収納容器に関するものである。
【背景技術】
【０００２】
化粧品、雑貨等の物品に用いる箱型の収納容器は、品質を保持するため以下のような容器を用いて容器の開封状況を確認できるように構成されていた。第一の容器は、収納容器本体の外周をフィルムで包んだ容器である。第一の容器によれば、容器を開封する際はフィルムを破かなければならず、容器を開封したか否かを一目で確認することができた。
【０００３】
第二の容器は、矩形の六側面と、任意の一側面の側辺に連接され前記六側面間の一の隙間に挿入し、容器本体の開口部を塞ぐ止弁と、前記止弁が挿入された一の隙間に付着されるシール部材と、を備えた容器である。この第二の容器によれば、容器を開封する際は、前記シール部材を剥がさなければならず、容器が開封されたか否かを一目で確認することができた。
【０００４】
しかし、前記第一及び第二の容器は、容器本体と別個にフィルム又はシール部材を設けなければならず、部品点数が多くなり、コスト及び製造工程が増えるという問題点を有していた。
【０００５】
このような問題に鑑みてなされた第三の容器は、図１２に示すように、略矩形の頂底面１０２，１０３と、頂底面１０２，１０３の両端辺に連結されてそれら頂底面１０２，１０３間に延びる前後面１０４，１０５と、頂底面１０２，１０３間に延びていて前後面１０４，１０５のいずれか一方の両側辺１０４ａ，１０４ｂに連接されて側部開口を開閉可能な左右側面１０６，１０７とを備えた六面体の包装用容器１０１である。
【０００６】
この容器１０１は、前後面１０４，１０５のうちいずれか一方の両側辺１０４ａ，１０４ｂが、互いの離間距離の拡大と縮小とを繰り返すように曲折して延び、左右側面１０６，１０７が、曲折して延びている両側辺１０４ａ，１０４ｂに連接されている。
【０００７】
前記左右側辺１０６，１０７には、側面フラップ１０６Ｆ，１０７Ｆが連接され、側面フラップ１０６Ｆ，１０７Ｆの中央部には、切り込み１０６ｂ，１０７ｂが形成されている。前記後面１０５は、切り込み１０６ｂ，１０７ｂに差し込むための係止片１０５ｄが形成されている。
【０００８】
この容器１０１は、左右側面１０６，１０７が前面１０４に対してほぼ直交するように、左右側面１０６，１０７を前面１０４の左右側辺１０４ａ，１０４ｂにおいて折曲し、一対の側面フラップ１０６Ｆ，１０７Ｆを後面の内側に摺接させて差し込むことで、側部開口を塞ぐことができる。このとき、後面１０５の係止片１０５ｄを左右側面１０６，１０７の切り込み１０６ｂ，１０７ｂに差し入れる。係止片１０５ｄと切り込み１０６ｂ，１０７ｂとが係わり合うことで、側部開口の閉塞状態が簡単に解除されることがない。すなわち、この容器１０１によれば、容器を容易に開封できず、密封性を保持することができた（特許文献１）。
【０００９】
前記容器１０１は、容器を開封する際に、前記係止片１０５ｄと切り込み１０６ｂ，１０７ｂとの係合を解除する必要があるが、前述のように前記係合の解除は容易ではなく、開封作業が困難になるという問題点を有していた。
【００１０】
このような問題に鑑みて、第四の容器が提案されていた。この第四の容器は、図１３に示すように、第１から第４の側壁２０２，２０３，２０４，２０５と、第一側壁２０２の上端側辺に連接された頂壁２０６と、底部開口を閉じる底壁２０７と、を有する六面体の物品収納容器２０１である。前記頂壁２０６が、自由端縁２１３と、自由端縁２１３に連接された係止片２１４とを有し、第２側壁２０３が、その上端側辺２１５近傍に形成されたスリット２１８を有し、係止片２１４をスリット２１８から容器２０１の内側へ挿入する係止片２１４の先端部が容器２０１の内側に係合して、容器の開口部を閉塞することができる。
【００１１】
また、容器の頂壁２０６には、係止片２１４が連接された部分を囲むように略半円形状のミシン目２２０が形成されている。容器を開封する際は、前記ミシン目２２０を破いて係止片２１４が連接された部分を分断して、容器の上面を開口する。
【００１２】
前記第四の容器２０１によれば、前記ミシン目２２０によって前記係止片２１４が連接された頂壁部分を容易に切り離して、容器の上部を開口することができるため、開封作業を容易に行うことができた。しかし、前記容器２０１は、ミシン目２２０が係止片２１４の周縁に設けられておりその形状は小さいため、視認しにくく開封方法がわかりにくいという問題点を有していた。また、前記略半円形状の分離部は、その端部が前記係止片２１４に隣接して配置されているため、端部を把持できず、ミシン目２２０部分を押圧して開けなければならず、開封作業がしにくいという問題点を有していた。
【特許文献１】特開２０００−２２９６２０号公報
【発明の開示】
【発明が解決しようとする課題】
【００１３】
本発明は、前記種々の問題に鑑みてなされたものであり、開封状況を容易に確認することができる物品収納容器において、開封方法がわかりやすく、開封作業が容易であって、製作コストの縮減を図ることができる物品収納容器を提供することを技術的課題とする。
【課題を解決するための手段】
【００１４】
本発明は、前記技術的課題を解決するために以下のように構成されている。すなわち、本発明は、互いに対向して配置される略矩形の第一及び第二側壁と、前記第一側壁と第二側壁に連接され、互いに対向して配置される第三側壁と第四側壁と、前記第一から第四側壁のうち少なくともいずれか一の側壁に連接された底壁と、前記第一側壁の上端側辺に連接され、第一側壁の上端側辺から第二側壁の上端側辺に向かって上下方向に旋回可能な頂壁と、を有し、前記第一から第四側壁の上端側辺によって隔成された容器開口部を前記頂壁によって開閉する箱形の物品収納容器であって、前記フラップと連接された第二側壁の上端側辺には、この上端側辺に沿ったスリットが形成されており、前記頂壁の前記第二側壁と係合する側辺には、前記スリットから容器の内側に挿入されて係止可能な係止片が形成されており、前記頂壁には、頂壁を分離可能なミシン目が設けられており、前記ミシン目の端部は、前記頂壁の四側辺のうち少なくとも二側辺の近傍に配置されていることを特徴とする物品収納容器である。
【００１５】
本発明は、前記頂壁によって容器開口部を覆い、前記係止片をスリットから容器の内側に挿入することにより、係止片とスリットが係合し、容器開口部を頂壁によって塞ぐことができる。また、前記係合片は、スリットに挿入されて係合するため、一旦係合片をスリットに挿入すると、係合片とスリットとの係合を解除することが難しい。
【００１６】
容器を開封する際は、前記ミシン目によって頂壁を複数に分断し、頂壁の係止片が設けられた部分を分離して、容器開口部を開放することができる。このミシン目によって頂壁を分断する際は、ミシン目の端部が頂壁の側面に配置されているため、ミシン目の周縁の
頂壁を手で容易に把持することができ、開封作業を容易に行うことができる。さらに、容器を開封する際は、容器の頂壁のミシン目を分離するため、開封後はミシン目が分離されており、開封状況を容易に確認することが可能である。加えて、開封状況を判別するために、フィルム又はシール部材等を設ける必要がないため、部品点数を少なくして、製作コストの縮減を図ることが可能となる。
【００１７】
また、本発明に係る物品収納容器は、前記ミシン目の両端部が頂壁の二側面の近傍に配置されており、すなわち、ミシン目が頂壁の二側面を繋いで形成されている。このようにミシン目が形成されていることにより、ミシン目が視認しやすくなり、開封位置を容易に認識することが可能となる。
【００１８】
さらに、本発明に係る物品収納容器は、前記ミシン目の端部が前記頂壁の四側辺のうち対向する二側辺の近傍に配置されていることを特徴とすることが望ましい。前記頂壁の側面のうち対向する二側面に近傍に前記ミシン目の端部を配置することにより、ミシン目の長さは、頂壁の側面と略同長以上になるため、更にミシン目を視認しやすくすることができる。
【００１９】
加えて、本発明に係る物品収納容器は、前記ミシン目の端部は、前記頂壁の四側辺のうち隣接する二側辺の近傍に配置されていることを特徴としてもよい。隣接する二側辺の近傍に配置することにより、ミシン目を箱の外形に対して斜めに配置する等、種々のデザインに適応させることが可能となる。また、ミシン目によって隣り合う二側辺において頂壁を分離することができ、開封作業の効率を向上させることができる。
【００２０】
また、本発明に係る物品収納容器は、前記頂壁が前記ミシン目によって分断されることにより、係止部が形成され容器本体と分離する分離部と、前記第一側壁に連通した連通部と、に分離可能であり、前記分離部は、頂壁全体の略半分以上の面積を有することを特徴とすることが望ましい。
【００２１】
前記頂壁の分離部は、ミシン目を分離することにより、容器本体と分断する部分である。この分離部が、頂壁全体の略半分以上の面積を有することにより、ミシン目を分離した際、容器開口部を広く開放することができる。従って、容器を開封した際、収納された物品を取り出しやすくなる。
【００２２】
さらに、本発明に係る物品収納容器は、前記ミシン目が前記頂壁に連接する第一側壁、第三側壁及び第四側壁のうち少なくもいずれか一の側壁に連なって形成されていることを特徴としてもよい。
【００２３】
前記ミシン目を頂壁だけでなく、頂壁に連接するいずれかの側壁に連ねて形成することにより、容器を開封した際に開放される容器開口部の面積を大きくすることができ、物品の取り出し易さ、及び開封されたことの視認しやすさを高めることができる。
【００２４】
加えて、本発明に係る物品収納容器は、前記ミシン目の端部に、頂壁の側辺に向かって拡開した切り欠きが形成されていることを特徴とすることが望ましい。前述のように本発明に係る物品収納容器を開封する際は、ミシン目を分離することにより行う。このミシン目を分離する際は、ミシン目の周縁の頂壁を手等で把持して行う。ミシン目の端部に前記切り欠きを形成することにより、把持すべきミシン目の端部を視認しやすくなるとともに、頂壁の下方に指を挿入しやすくなり、開封作業を容易ならしめることができる。
【００２５】
また、本発明に係る物品収納容器は、互いに対向して配置される略矩形の第一及び第二側壁と、前記第一側壁と第二側壁に連接され、互いに対向して配置される第三側壁と第四
側壁と、前記第一から第四側壁のうち少なくともいずれか一の側壁に連接された底壁と、前記第一側壁の上端側辺に連接され、第一側壁の上端側辺から第二側壁の上端側辺に向かって上下方向に旋回可能な頂壁と、を有し、前記第一から第四側壁の上端側辺によって隔成された容器開口部を前記頂壁によって開閉する箱形の物品収納容器であって、前記第二側壁と前記フラップとが接合する接合部の中央部には、スリットが形成され、前記頂壁の前記第二側壁と係合する一側辺には、前記スリットから容器の内側に挿入して係止可能な係止片が形成されており、前記第一の側壁から第四の側壁のうち少なくとも一の側壁には、分離可能なミシン目が設けられており、前記ミシン目の端部は、連接する側壁との間に配置されていることを特徴としてもよい。
【００２６】
本発明は、前記頂壁によって容器開口部を覆い、前記係止片をスリットから容器の内側に挿入することにより、容器開口部を頂壁によって塞ぐことができる。また、前記係合片は、スリットに挿入されて係合するため、また、前記係合片は、スリットから挿入されて係合するため、一旦係合片をスリットから容器の内部に挿入すると、係合片とスリットとの係合を解除することが難しい。
【００２７】
容器を開封する際は、前記ミシン目によって側壁を分断し、側壁に開口部を形成し、内部に収納された物品を出し入れすることができる。容器を開封する際は、側壁に形成されたミシン目を分離するため、開封後は、側壁のミシン目が分離されており、容易に開封されたか否かを容易に確認することができる。また、前記ミシン目の端部は、隣接する側壁との間に配置されている。本発明に係る物品収納容器は、箱形であり、側壁間は略９０度に交わっている。このように略９０度に交わった側壁間にミシン目の端部を配置することにより、ミシンの端部の側壁を把持し易くなり、開封作業を容易に行うことができる。
【００２８】
また、本発明に係る物品収納容器は、前記ミシン目を隣接する二の側面に連ねて形成することが望ましい。前記構成により、ミシン目によって分断する側壁の面積を大きくすることが可能となり、容器開口部を大きく形成することができる。
【発明の効果】
【００２９】
本発明に係る物品収納容器によれば、係止片とスリットとを係合させることにより容器開口部を閉塞して、容器を開封する際にはミシン目を分離させることにより、開封するため、開封されたか否かを容易に確認することができる。また、容器を開封口となるミシン目を頂壁の測辺又は側壁の測辺に配置するため、開封口が視認しやすく、開封方法をわかりやすくすることができる。さらに、ミシン目を分離することにより、物品を出し入れする容器開口部を形成することができ、開封作業を容易に行うことができる。加えて、開封状況を判別するために、フィルム、シール部材を設ける必要がないため、部品点数を少なくし、製作コストの縮減を図ることが可能となる。
【発明を実施するための最良の形態】
【００３０】
＜実施の形態１＞
以下、本発明の実施形態について図面を参照して詳細に説明する。図１は本実施の形態に係る物品収納容器の斜視図、図２は物品収納容器の展開図である。
【００３１】
本実施の形態に係る物品収納容器１０は、互いに対向して配置される略矩形の第一及び第二側壁１，２と、この第一及び第二側壁１，２に連接され、互いに対向して配置される第三及び第四側壁３，４と、前記第一側壁の上端側辺に連接された頂壁５と、第二側壁から第４側壁の上端側辺に各々連接されたフラップ２Ａ，３Ａ，４Ａと、第一側壁から第４側壁の下端縁に各々連接された底壁１Ｂ，２Ｂ，３Ｂ，４Ｂと、が実質的に直交して箱形を呈する。
【００３２】
前記第二側壁のフラップ２Ａと連接した側辺の中央部には、フラップ側に折曲した突部７ａと、当該突部７ａから第二側壁２の上端側辺に沿って延出した直線部７ｂと、からなるスリット７が形成されている。
【００３３】
頂壁５の第二側壁２と係合する側辺には、前記スリット７に挿入されて係止可能な係止片６が設けられている。この係止片６は、前記スリット７の突部７ａと略同幅の軸部６ａと、この軸部より幅が長く前記スリット７の突部７ａと掛かり合う係止部６ｂと、を有する。
【００３４】
このように構成された係止片６をスリット７から容器の内側に挿入すると、係止片６とスリット７とが係合して、頂壁５によって容器開口部を塞ぐことができる。係止片６とスリット７とが係合した状態で、頂壁５を第一側壁１との連接部を中心に旋回させて、容器開口部を開放しようとしても、係止片６の係止部６ｂがスリット７の突部７ａに引っ掛かり、頂壁５と第二側壁２との係合は解除されない。
【００３５】
前記頂壁５には、第一側壁１と連接する側辺と略平行な二本のミシン目８Ａ，８Ｂが形成されており、ミシン目８Ａ，８Ｂの端部には、拡開した切り欠き９Ａ，９Ｂが形成されている。容器を開封する際は、ミシン目８Ａ，８Ｂの端部周辺の頂壁５を指で把持し、二本のミシン目８Ａ，８Ｂ間の頂壁５を引き上げる。ミシン目８Ａ，８Ｂを分離することにより、頂壁５は複数に分断される。
【００３６】
頂壁５は、ミシン目８Ａ，８Ｂの分離によって、第一側壁１と連接した第一頂壁５Ａと、第二側壁２と連接した第二頂壁５Ｃと、前記二本のミシン目８Ａ，８Ｂ間の第三頂壁５Ｂと、に分断される。従って、前記ミシン目８Ａ，８Ｂを分離した後、第一頂壁５Ａと第二頂壁５Ｃをそれぞれ側壁との連接部を中心に上方に旋回させることにより、容器開口部を開放することができる。
【００３７】
前記第三頂壁５Ｂは、前記ミシン目８Ａ，８Ｂに沿った方向において、前記第一頂壁５Ａ及び第二頂壁５Ｃより短く形成されている。第三の頂壁５Ｂを短く形成することにより、容器の開封口となるミシン目８Ａ，８Ｂの端部を視認しやすくすることが可能となる。また、ミシン目８Ａ，８Ｂの端部に切り欠き９Ａ，９Ｂが形成されていることにより、隣接する第一頂壁５Ａ、第二頂壁５Ｃと、第三頂壁５Ｂとを区別しやすくなるとともに、第三頂壁５Ｂが把持しやすくなる。
【００３８】
次いで、図２に示す展開図から図１に示す物品収納容器１０を組み立てる手順を説明する。連接する第一側壁１と第三側壁３とを略９０度に折曲させ、互いの底壁１Ｂ，３Ｂとが重合する部分を固着する。同様に、第二側壁２と第四側壁４とを略９０度に折曲させ、互いの底壁２Ｂ，４Ｂが重合部分を固着する。
【００３９】
第一側壁１と第四側壁４とを互いの底壁１Ｂ，４Ｂが掛かり合うように略９０度に折曲させて、箱型の形状にする。このとき、第二側壁２の側辺から延出したつば部２Ｄと第三側壁３とを固着する。これにより、物品収納容器１０は、底面及び側面が形成され、上端の容器開口部のみ開放された状態となる。
【００４０】
次いで、第二側壁２から第四側壁４の上端側辺に連接されたフラップ２Ａ，３Ａ，４Ａを側壁との連接部を中心にして、下方に旋回させる。容器開口部を覆うように各フラップ２Ａ，３Ａ，４Ａを略９０度折曲すると、互いに一部が重なり合う。
【００４１】
各フラップと同様にして、第一側壁１に連接された頂壁５を第一側壁１との連接部を中心にして下方に旋回させる。頂壁５を略９０度折曲した後、頂壁５に設けられた係止片６
を前記スリット７から容器の内側に挿入する。
【００４２】
スリット７から挿入された係止片６は、係止部６ｂがスリット７の突部７ａの幅より長く形成されているため、互いに引っ掛かる。従って、頂壁５を上方に旋回させようとしても係止片６とスリット７との係合は解除されず、頂壁５によって容器開口部を塞ぐことができる。以上の手順により、物品収納容器１０を組み立てることができる。
【００４３】
一方、このように組み立てられた物品収納容器１０を開封する際は、頂壁５のミシン目８Ａ，８Ｂを分離する。具体的には、二本のミシン目８Ａ，８Ｂ間の第三頂壁５Ｂを手で把持し、第三頂壁５Ｂを上方に引き上げることで、ミシン目８Ａ，８Ｂは分離し、第三頂壁５Ｂは、隣接する第一頂壁５Ａ及び第二頂壁５Ｃと分断する（図３参照）。これにより、頂壁５による容器開口部の閉塞は解除され、容器開口部を覆う各フラップを上方に旋回させることにより、容器開口部を開放することができる。
【００４４】
以上のように、本実施の形態１に係る物品収納容器１０によれば、係止片６とスリット７との係合によって、頂壁５で容器開口部を閉塞することができる。一方、頂壁５のミシン目８Ａ，８Ｂを分離させることにより、頂壁５を複数に分断して、容器開口部を開放することができる。ミシン目８Ａ，８Ｂは、視認しやすい頂壁５に設けられているため、開封口を目立たせることができる。さらに、一旦容器が開封されるとミシン目８Ａ，８Ｂが分離されているため、容器の開封状況を容易に確認することができる。加えて、開封状況を判別するためにフィルム、シール部材を設ける必要がないため、部品点数を少なくして、製作コストの縮減を図ることが可能となる。
【００４５】
前記物品収納容器１０は、頂壁５に２本のミシン目を略平行に形成したが、前記ミシン目の配置及び長さ等は適宜に変更することが可能である。以下、ミシン目の配置を異ならせた実施形態を例示的に示す。
【００４６】
図４は、他の実施形態を示した物品収納容器２０である。図５は、図４に示す物品収納容器２０の展開図である。物品収納容器２０は、前記物品収納容器２０と頂壁５の構成を異ならせた容器である。物品収納容器２０において、前記物品収納容器１０と同様の構成については同符号を用いて説明を省略する。
【００４７】
物品収納容器２０は、第一側壁から第四側壁１，２，３，４と、前記側壁１，２、３，４の各下端縁に連接された底壁１Ｂ，２Ｂ，３Ｂ，４Ｂと、第一側壁１の上端側辺に連接された頂壁２５と、第二側壁から第四側壁２，３，４の上端側辺に連接されたフラップ２Ａ，３Ａ，４Ａと、前記頂壁２５に形成された係止片６と、第二側壁２とフラップ２Ａとの連接部に形成されたスリット７と、を備えている。
【００４８】
物品収納容器２０の頂壁２５と第一側壁１とが連接する側辺の中央部には、開口スリット２５ｄが形成されており、この開口スリット２５ｄの両端部から各々拡開するようにミシン目２８Ａ，２８Ｂが形成されている。前記開口スリット２５ｄとミシン目２８Ａ，２８Ｂとがなす角度は４５度である。開口スリット２５ｄが設けられていることにより、ミシン目２８Ａ，２８Ｂを分離する際に、開口スリット２５ｄから頂壁２５の下方に指を挿入し、頂壁２５を把持することができる。
【００４９】
物品収納容器２０は、前記物品収納容器１０と同様に、第一から第四側壁の上端側辺によって隔成された容器開口部を頂壁２５によって閉塞する容器である。頂壁２５と第二側壁２との係合は、前記係止片６とスリット７との係合である。容器開口部を開放する際は、前記開口スリット２５ｄから指を挿入し、手で頂壁２５を把持し、頂壁２５を上方に引き上げる。
【００５０】
頂壁２５を上方に引き上げることにより、ミシン目２８Ａ，２８Ｂは分離して、頂壁２５は、係止片６が設けられた第一頂壁２５Ａと、その両端に位置する第二及び第三頂壁２５Ｂ，２５Ｃと、に分断される。ミシン目２８Ａ，２８Ｂが分離した状態で、第二頂壁２５Ｂと第三頂壁２５Ｃは、第一側壁１と連通しているが、第一頂壁２５Ａは第一側壁１と分断しており、第二側壁２とのみ接合している。従って、第一頂壁２５Ａを第二側壁２との連通部を中心にして上方に旋回させることにより、容器開口部を開放することができる。
【００５１】
このように物品収納容器２０によっても、係止片６とスリット７との係合により容器開口部を閉塞する一方、頂壁２５のミシン目２８Ａ，２８Ｂを分離することによって頂壁２５を複数に分断して、容器開口部を形成することできる。また、前記物品収納容器１０では、ミシン目を分離した後、第一頂壁５Ａと第二頂壁５Ｂを各々上方に旋回させて容器開口部を開放していたが、物品収納容器２０は、ミシン目を分離した後、第一頂壁２５Ａのみ上方に旋回させて容器開口部を開放すれば良く、前記物品収納容器１０と比較して、容器の開封作業が簡易にすることができる。
【００５２】
また、図６は、他の実施形態を示した物品収納容器３０である。図７は、図６に示す物品収納容器３０の展開図である。物品収納容器３０は、前記物品収納容器１０，２０と頂壁５の構成を異ならせたものである。物品収納容器３０において、前記物品収納容器１０と同様の構成については同符号を用いて説明を省略する。
【００５３】
物品収納容器３０は、前記物品収納容器１０，２０と同様に、第一側壁から第四側壁１，２，３，４と、前記側壁１，２、３，４の各下端縁に連接された底壁１Ｂ，２Ｂ，３Ｂ，４Ｂと、第一側壁１の上端側辺に連接された頂壁３５と、第二側壁から第四側壁２，３，４の上端側辺に連接されたフラップ２Ａ，３Ａ，４Ａと、前記頂壁３５に形成された係止片６と、第二側壁２とフラップ２Ａとの連接部に形成されたスリット７と、を備えている。
【００５４】
物品収納容器３０の頂壁３５には、第一側壁１及び第二側壁２と連通する側壁と略平行なミシン目３８が形成されている。前記ミシン目３８の端部には、隣接する第四側壁４及び第三側壁３側に向かって拡開した切り欠き３９Ａ，３９Ｂが形成されている。前記第四側壁４側の切り欠き９Ａは、第三側壁３側の切り欠き３９Ｂより大きく形成されており、ミシン目３８を分離する際の把持部を視認しやすく構成されている。
【００５５】
容器を開封する際は、前記頂壁３５のミシン目３８の端部から頂壁３５の下方に指を挿入し、ミシン目３８を分離する。ミシン目３８を分離することにより、頂壁３５は、第一側壁１と連通した第一頂壁３５Ａと、第二側壁２と連通した第二頂壁３５Ｂと、に分断される。そして、第一頂壁３５Ａと第二頂壁３５Ｂとを互いに、側壁との連通部を中心にして上方に旋回させることにより、容器開口部を形成することができる。
【００５６】
このように物品収納容器３０によっても、容器を開封する際は頂壁３５のミシン目３８を分離するため、開封状況を容易に確認することができる。また、物品収納容器３０は、頂壁３５に形成されるミシン目が１本であるため、ミシン目が２本の前記物品収納容器１０，２０と比較して加工作業を容易にすることができる。
＜実施の形態２＞
本実施の形態２に係る物品収納容器４０は、互いに対向して配置される略矩形の第一及び第二側壁４１，４２と、この第一及び第二側壁４１，４２に連接され、互いに対向して配置される第三及び第四側壁４３，４４と、前記第一側壁４１の上端側辺に連接された頂壁４５と、第二側壁から第４側壁の上端側辺に各々連接されたフラップ４２Ａ，４３Ａ，
４４Ａと、第一側壁から第４側壁の下端縁に各々連接された底壁４１Ｂ，４２Ｂ，４３Ｂ，４４Ｂと、が実質的に直交して箱形を呈する。
【００５７】
前記第二側壁４２とフラップ４２Ａとの連接部の中央部には、フラップ４２Ａ側に突出した突部４７ａと、当該突部４７ａから第二側壁４２の上端側辺に沿って延出した直線部４７ｂと、からなるスリット４７が形成されている。
【００５８】
頂壁４５の第二側壁４２と係合する側辺には、前記スリット４７から容器の内側に挿入されて係止可能な係止片４６が設けられている。この係止片４６は、前記スリット４７の突部４７ａと略同幅の軸部４６ａと、この軸部４６より幅が長く前記スリット４７の突部４７ａと掛かり合う係止部６ｂと、を有する。
【００５９】
このように構成された係止片４６をスリット４７から容器の内側に挿入すると、係止片４６とスリット４７とが係合して、頂壁４５によって容器開口部を閉塞することができる。この係止片４６とスリット４７が係合した状態で頂壁４５を第一側壁４１との連接部を中心に上方に旋回させて容器開口部を開放しようとしても、係止片４６の係止部４６ｂがスリット４７の突部４７ａに引っ掛かり、頂壁４５と第二側壁４２の接合が容易に解除できないように構成されている。
【００６０】
以上の構成は、前記実施の形態１に係る物品収納容器１０と同様であり、その組み立て方も同様である。以下は異なる構成であり、実施の形態１に係る物品収納容器１０は頂壁５を分断して容器開口部を設けたが、本実施の形態２に係る物品収納容器４０は、側壁にミシン目を形成して、側壁に容器開口部を設けた。
【００６１】
前記第二側壁４２と第四側壁４４には、２本のミシン目４８Ａ，４８Ｂが形成されている。ミシン目４８Ａ，４８Ｂの端部は、第二側壁４２と第四側壁４４とが連接する連接部と、第一側壁４１と第四側壁４４とが連接する連接部と、に位置しており、ミシン目４８Ａ，４８Ｂは、第一側壁４１と第四側壁４４とに連なって形成されている。
【００６２】
第二側壁４２と第四側壁４４との連通部におけるミシン目端部の間には、開口スリット４４ｄが形成されている。開口スリット４４ｄは、容器を開封する際の開封口になる部分であり、指が挿入できる長さで形成されている。本実施の形態２に係る物品収納容器４０では、開口スリット４４ｄの長さを７ｍｍ以上とした。
【００６３】
ミシン目４８Ａ，４８Ｂは、第四側壁４４において、前記開口スリット４４ｄの両端部から第四側壁４４の上端側辺及び下端測辺と略平行に延びており、その先は、互いのミシン目４８Ａ，４８Ｂが離間するように第二側壁４２の上端側辺及び下端測辺に近接するように延出している。この第四側壁４４のミシン目４８Ａ，４８Ｂと連なる第一側壁４１のミシン目４８Ａ，４８Ｂは、第一側壁４１の上端側辺及び下端測辺と略平行である。
【００６４】
容器を開封する際は、前記開口スリット４４ｄから第四側壁４４の下方に指を挿入し、第四側壁４４から第一側壁４１に向かって第四側壁４４と第一側壁４１を容器本体から引き離す。ミシン目４８Ａ，４８Ｂを分離することにより、ミシン目４８Ａ，４８Ｂの間の側壁（図９において斜線で囲んだ部分）を分断して、容器開口部を形成することができる。
【００６５】
前記物品収納容器４０によれば、第一側壁４１と、この第一側壁４１と隣接する第四側壁４４に連通する容器開口部を形成することができる。容器開口部を形成した後、すなわち、容器を開封した後は、ミシン目４８Ａ，４８Ｂが分離されているため、容器が開封されたか否かを容易に確認することができる。
【００６６】
また、本実施の形態２に係る物品収納容器４０は、実施の形態１に係る物品収納容器１０において容器上面に設けられていた容器開口部を、側壁に設けたため、容器開口部を大きく形成することが可能となる。
【００６７】
次いで、本実施の形態２に係る物品収納容器の他の実施形態を説明する。図１０は、他の実施形態を示す物品収納容器５０の斜視図であり、図１１は、図１０の物品収納容器５０の展開図である。物品収納容器５０は、前記物品収納容器４０とミシン目の形状及び開口スリット４４ｄの位置が異なり、他の構成は同様であるため、同符号を用いて説明を省略する。
【００６８】
物品収納容器５０は、前記物品収納容器４０におけるミシン目４８Ａ，４８Ｂの形状及び開口スリット４４ｄの位置を異ならせたものである。物品収納容器５０は、前記物品収納容器４０において第二側壁４２と第四側壁４４の連接部の略中央に設けていた開口スリット４４ｄを前記連接部の中央部より上方に配置している。
【００６９】
前記開口スリット４４ｄの両端部から形成されたミシン目５８Ａ，５８Ｂは、第四側壁４４の上端側辺及び下端測辺と略平行に延び、その先は、曲線状（Ｒ形状）であり、第四側壁４４の上端側辺及び下端測辺に近接するように、互いに離間しつつ形成されている。前記ミシン目５８Ａ，５８Ｂを曲線状に形成することにより、ミシン目を分離しやすくすることができる。
【００７０】
以上、本発明の好適な実施形態を例示的に説明したが、本発明に係る物品収納容器は、これらに限られず、可能な限りこれらの組み合わせも含むことができる。
【図面の簡単な説明】
【００７１】
【図１】実施の形態１に係る物品収納容器１０の斜視図である。
【図２】実施の形態１に係る物品収納容器１０の展開図である。
【図３】実施の形態１に係る物品収納容器１０の斜視図である（ミシン目分離時）。
【図４】実施の形態１に係る物品収納容器２０の斜視図である。
【図５】実施の形態１に係る物品収納容器２０の展開図である。
【図６】実施の形態１に係る物品収納容器３０の斜視図である。
【図７】実施の形態１に係る物品収納容器３０の展開図である。
【図８】実施の形態２に係る物品収納容器４０の斜視図である。
【図９】実施の形態２に係る物品収納容器４０の展開図である。
【図１０】実施の形態２に係る物品収納容器５０の斜視図である。
【図１１】実施の形態２に係る物品収納容器５０の展開図である。
【図１２】従来の物品収納容器１０１の斜視図である。
【図１３】従来の物品収納容器２０１の斜視図である。
【符号の説明】
【００７２】
１０，２０，３０，４０，５０  物品収納容器
１，４１  第一側壁
２，４２  第二側壁
３，４３  第三側壁
４，４４  第四側壁
２Ａ，３Ａ，４Ａ，４２Ａ，４３Ａ，４４Ａ  フラップ
１Ｂ，２Ｂ，３Ｂ，４Ｂ，４１Ｂ，４２Ｂ，４３Ｂ，４４Ｂ  底壁
５，２５，３５，４５  頂壁
５Ａ，２５Ａ，３５Ａ  第一頂壁
５Ｂ，２５Ｂ，３５Ｂ  第二頂壁
５Ｃ，２５Ｃ  第三頂壁
２５ｄ，４４ｄ，  開口スリット
６，４６  係止片
６ａ，４６ａ  軸部
６ｂ，４６ｂ  係止部
７，４７  スリット
７ａ，４７ａ  突部
７ｂ，４７ｂ  直線部
８Ａ，８Ｂ，２８Ａ，２８Ｂ，３８，４８Ａ，４８Ｂ，５８Ａ，５８Ｂ  ミシン目
９Ａ，９Ｂ，３９Ａ，３９Ｂ  切り欠き
【図１】
2006290428.tif 000003
【図２】
2006290428.tif 000004
【図３】
2006290428.tif 000005
【図４】
2006290428.tif 000006
【図５】
2006290428.tif 000007
【図６】
2006290428.tif 000008
【図７】
2006290428.tif 000009
【図８】
2006290428.tif 000010
【図９】
2006290428.tif 000011
【図１０】
2006290428.tif 000012
【図１１】
2006290428.tif 000013
【図１２】
2006290428.tif 000014
【図１３】
2006290428.tif 000015